【手続補正書】
【提出日】平成16年8月9日(2004.8.9)
【手続補正１】
【補正対象書類名】明細書
【補正対象項目名】特許請求の範囲
【補正方法】変更
【補正の内容】
【特許請求の範囲】
【請求項１】  実質的に角柱状の横断面形状をもつ実質的に角柱状のセクションと、閉鎖底端部（５８）とを有する容器（６０）を備え、該容器（６０）は、丸い頂端部をもつ円筒状セクション（５２）を更に有し、
前記角柱状セクション内に実質的に収容された陰極（６４）と、
前記角柱状セクション内に配置された陽極（６８）と、
前記陽極（６８）と前記陰極（６４）との間に配置されたセパレータ（６６）と、
前記丸い頂端部に組み付けられたカバー（６２）と、を更に備えることを特徴とする電気化学セル（３０）。
【請求項２】  実質的に角柱状の横断面形状をもつ実質的に角柱状のセクションを有し、側壁と、閉鎖底端部（５８）と、頂端部とを更に有する容器（６０）と、
実質的に前記角柱状セクション内で前記容器（６０）に配置された陰極（６４）と、
前記容器（６０）の前記角柱状セクションの円筒状体積内に配置された陽極（６８）と、
前記陽極（６８）と前記陰極（６４）との間に配置されたセパレータ（６６）と、
前記容器（６０）の頂端部に組み付けられたカバー（６２）と、を更に備えることを特徴とする電気化学セル（３０）。
【請求項３】  前記容器（６０）は、丸い頂端部を有する円筒状セクション（５２）を更に備えることを特徴とする請求項２に記載の電気化学セル。
【請求項４】  前記カバー（６２）は、実質的に丸く、前記丸い頂端部に組み付けられていることを特徴とする請求項１または３に記載の電気化学セル。
【請求項５】  シール組立体（５６）が前記丸い頂端部に組み付けられていることを特徴とする請求項１、３または４に記載の電気化学セル。
【請求項６】  前記実質的に角柱状の横断面形状は、実質的に直方体状の断面形状からなることを特徴とする請求項１〜５のいずれか１項に記載の電気化学セル。
【請求項７】  前記直方体状の断面形状は、実質的に正方形横断面形状を有することを特徴とする請求項６に記載の電気化学セル。
【請求項８】  前記容器（６０）は、スチール缶であることを特徴とする請求項１〜７のいずれか１項に記載の電気化学セル。
【請求項９】  実質的に直方体状の横断面形状をもつ実質的に直方体状のセクション（５０）と、閉鎖底端部（５８）とを有する容器（６０）を備え、該容器（６０）は、丸い頂端部をもつ円筒状セクション（５２）を更に有し、
前記直方体状セクション（５０）内に実質的に収容された陰極（６４）と、
前記直方体状セクション（５０）の実質的に円筒状体積内に配置された陽極（６８）と、
前記陽極（６８）と前記陰極（６４）との間に配置されたセパレータ（６６）と、
前記丸い頂端部に組み付けられた丸いカバー（６２）と、を更に備えることを特徴とする請求項４に記載の電気化学セル。
【請求項１０】  電池ハウジング（１２）と、
正極接触ターミナル（１８）と、
負極接触ターミナル（２０）と、
前記電池ハウジング（１２）に組み付けられ、前記正極接触ターミナルおよび負極接触ターミナル（１８，２０）と電気的に接触している請求項１〜９のいずれか１項に記載の複数の電気化学セル（３０）と、を備えることを特徴とする多セル電池（１０）。
【請求項１１】  前記電池ハウジング（１２）は、直方体ハウジングからなることを特徴とする請求項１０に記載の多セル電池。
【請求項１２】  前記複数の電気化学セルは、電気的に直列に接続されていることを特徴とする請求項１０または１１に記載の電気化学セル。
【請求項１３】  前記複数の電気化学セル（３０）を電気的に接続する押圧接点ストリップ（３８，４０）をさらに備えることを特徴とする請求項１０〜１２のいずれか１項に記載の多セル電池。
【請求項１４】  直方体電池ハウジング（１２）と、
正極接触ターミナル（１８）と、
負極接触ターミナル（２０）と、
前記電池ハウジング（１２）に組み付けられ、前記正極接触ターミナルおよび負極接触ターミナル（１８，２０）と電気接触している複数の電気化学セル（３０）と、を備え、前記複数の電気化学セル（３０）の各々は、実質的に直方体状の横断面形状をもち、陽極（６８）と、陰極（６４）と、セパレータ（６６）とを収容する実質的に直方体状のセクション（５０）を有し、前記陽極（６８）は、前記直方体状セクション（５０）の円筒状体積内に配置されており、前記複数の電気化学セル（３０）の各々は、円筒状端部に組み付けられた丸いカバー（６２）を更に有することを特徴とする請求項１０に記載の多セル電池（１０）。
【請求項１５】  実質的に角柱状の横断面形状をもつ実質的に角柱状のセクションを有する容器（６０）を設ける段階を有し、該容器（６０）は、閉鎖底端部（５８）および開放頂端部を更に有し、
前記容器（６０）の実質的に前記角柱状セクション内に陰極（６４）を配置する段階と、
前記容器（６０）の実質的に前記角柱状セクション内にセパレータ（６６）を、その一方の面を前記陰極（６４）に接触させて配置する段階と、
実質的に前記角柱状セクション内に陽極（６８）を前記セパレータ（６６）の他方の面に接触させて配置する段階と、
カバー（６２）を前記丸い頂端部に組み付ける段階と、を更に有することを特徴とする電気化学セル（３０）の組立て方法。
【請求項１６】  実質的に角柱状のセクションを有する容器（６０）を設ける段階が、円筒状セクション（５２）に前記開放した丸い頂端部を設ける段階を更に有することを特徴とする請求項１５に記載の方法。
【請求項１７】  前記実質的に角柱状のセクションが、実質的に直方体状のセクション（５０）からなることを特徴とする請求項１５または１６に記載の方法。
【請求項１８】  前記陰極（６４）を円筒状容器内に配置する段階と、
前記円筒状容器を角柱状金型内に置く段階と、
円筒状容器の中央部を通してラムロッドを射出して陽極キャビティを形成しかつ円筒状容器を角柱状金型の形状に整形して、実質的に角柱状のセクションを形成する段階とを更に有することを特徴とする請求項１５〜１７のいずれか１項に記載の方法。
【請求項１９】  前記陽極（６８）と接触する集電体（７０）を配置する段階を更に含むことを特徴とする請求項１５〜１８のいずれか１項に記載の方法。
【請求項２０】  前記カバー（６２）が丸いカバーからなることを特徴とする請求項１５〜１９のいずれか１項に記載の方法。
【請求項２１】  陽極（６８）を配置する前記段階が、実質的に前記角柱状セクションの円筒状体積内に前記陽極（６８）を配置する段階からなることを特徴とする請求項１５〜２０のいずれか１項に記載の方法。
【請求項２２】  側壁、底部および頂部を備えた電池ハウジング（１２）を設ける段階と、
該ハウジング（１２）に正極接点ターミナルおよび負極接点ターミナル（１８，２０）を設ける段階と、
複数の電気化学セル（３０）を設ける段階と、を有し、前記各電器化学セルが、実質的に角柱状の断面形状を備え、活性セル材料（６４，６８）を収容する実質的に角柱状のセクションと、カバー（６２）が組み付けられた円筒状端部とを有し、
前記直方体ハウジング（１２）内で並んで配置されかつ正極接点ターミナルおよび負極接点ターミナル（１８，２０）と電気的に接触している前記複数の電気化学セル（３０）の配列を、隣接セルのセル壁の平坦面が互いに対面しかつ電池ハウジングに実質的に一致するようにして、前記配列が前記ハウジングに一致するように組み付ける段階を更に有することを特徴とする多セル電池の組立て方法。
【請求項２３】  側壁、底部および頂部を備えた電池ハウジング（１２）を設ける段階と、
該ハウジング（１２）に正極接点ターミナルおよび負極接点ターミナル（１８，２０）を設ける段階と、
複数の電気化学セル（３０）を設ける段階と、を有し、前記各電器化学セルが、実質的に角柱状の断面形状を備え、陰極（６４）と、陽極（６８）と、セパレータ（６６）とを収容する実質的に角柱状のセクションを有し、前記陽極（６８）が、前記角柱状セクションの円筒状体積内に配置され、
前記ハウジング（１２）内で並んで配置されかつ正極接点ターミナルおよび負極接点ターミナル（１８，２０）と電気的に接触している前記複数の電気化学セル（３０）の配列を、隣接セルのセル壁の平坦面が互いに対面しかつ電池ハウジングに実質的に一致するようにして、前記配列が前記ハウジングに一致するように組み付ける段階を更に有することを特徴とする多セル電池の組立て方法。
【請求項２４】  複数の電気化学セルを設ける前記段階が、各電器化学セルに円筒状端部を設ける段階を更に有することを特徴とする請求項２３に記載の方法。
【請求項２５】  前記カバー（６２）が丸いカバーからなることを特徴とする請求項２２または２４に記載の方法。
【請求項２６】  前記実質的に角柱状のセクションは、実質的に直方体状のセクション（５０）からなることを特徴とする請求項２２〜２５のいずれか１項に記載の方法。
【請求項２７】  前記陰極（６４）を円筒状容器内に配置する段階と、
前記円筒状容器を角柱状金型内に置く段階と、
円筒状容器の中央部を通してラムロッドを射出して陽極キャビティを形成しかつ円筒状容器を角柱状金型の形状に整形して、実質的に角柱状のセクションを形成する段階と、
陽極（６８）を前記陽極キャビティ内に配置する段階と、を更に有することを特徴とする請求項２２〜２６のいずれか１項に記載の方法。
【請求項２８】  前記複数の電気化学セル（３０）の各々を直列に接続する段階を更に有することを特徴とする請求項２７に記載の方法。
【請求項２９】  電池ハウジング（１２）を設ける前記段階は、直方体の電池ハウジングを設ける段階からなることを特徴とする請求項２２〜２８のいずれか１項に記載の方法。